(57)【要約】      （修正有）【課題】外観デザインが極めて重要視される服飾品に用いることのできるサイズ調整機構を提供。【解決手段】一端が帽体2後部に固定されて水平に設けられた帽子のサイズ調整用のベルト3と、該ベルトの他端と結合し該帽体の側部に固定されたスライドアジャスタ8とからなる帽子のサイズ調整機構において、該スライドアジャスタは合成樹脂製のバンドとバックル20からなり、バンド外表面に形成した鋸歯状の係合溝にバックルの係合爪を係合させ該係止状態においてバンドはバックルに接近自在であるが後退不能とされ、前記バンドが前記ベルトの他端に結合され、前記バックルがびん皮と帽体の間に固定されてなる。【選択図】図１
2011117089.tif 000002
【特許請求の範囲】
【請求項１】
一端が帽体後部に固定されて水平に設けられた帽子のサイズ調整用のベルトと、該ベルトの他端と結合し該帽体の側部に固定されたスライドアジャスタとからなる帽子のサイズ調整機構において、
該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、
前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、
前記バンドが前記ベルトの他端に結合され、前記バックルがびん皮と帽体の間に固定されたことを特徴とする帽子のサイズ調整機構。
【請求項２】
前記ベルトが帽体の共生地で作成されたものである請求項１記載の帽子のサイズ調整機構。
【請求項３】
前記押圧部に相当する帽体生地にマークが記されてなる請求項１または２記載の帽子のサイズ調整機構。
【請求項４】
前記押圧部に相当する帽体生地に開口を有する請求項１または２記載の帽子のサイズ調整機構。
【請求項５】
前記びん皮と帽体の間にバンドの前端部が進入可能な鞘が設けられてなる請求項１〜４のいずれかに記載の帽子のサイズ調整機構。
【請求項６】
前記びん皮および／または帽体において、前記バンドの前端部の進入位置に摩擦低減シートが設けられてなる請求項１〜４のいずれかに記載の帽子のサイズ調整機構。
【発明の詳細な説明】
【技術分野】
【０００１】
この発明は、帽子またはサンバイザーのサイズ調整機構に関するものである。
【背景技術】
【０００２】
従来、帽子またはサンバイザーのサイズ調整機構としては、ベルトを使用してアジャスタとレールを設けるもの、アメリカンホック式のもの、面ファスナーによるもの等が知られている。
アジャスタとレールによる方式は、レール上にアジャスタをスライドさせてサイズ調整するものであるが、現在はあまり使用されていない。アメリカンホックは、７つ前後の穴を開けたベルトとホック付きのベルトを組合せ、穴に嵌める位置をずらすことでサイズ調整を行う。
面ファスナーを使用すれば、表生地と同じ生地でベルトを作成することができ、帽体の風合いを崩すことがない。しかしながら、面ファスナーは一般に雨水や水分に弱いことに加えて、埃等が付着し易く、接合強度が低下する場合がある。
【０００３】
一方、ベルトを使用せずに、帽子のびん皮またはびん皮の一部をゴム製とすることによって、サイズ調整を行うことも行われている。ビン皮全体を伸縮性のあるものとすると、吸汗性、速乾性、防臭性等、ビン皮としての機能を損なう虞がある。ビン皮の一部ゴムを使用する場合には、帽体にタックを入れたり、伸縮性のある生地を用いることが必要となる。また、ゴムの接合強度は経年変化が大きく、低下する可能性がある。
【０００４】
本発明者は、帽子、ズボンまたはスカート等の外観デザインが極めて重要視される服飾品に用いることのできるスライドアジャスタに関し、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなることを特徴とするスライドアジャスタを提案している（特許第４００５１０９号公報：特許文献１）。
【先行技術文献】
【特許文献】
【０００５】
【特許文献１】特許第４００５１０９号公報
【発明の概要】
【発明が解決しようとする課題】
【０００６】
特許第４００５１０９号公報記載のスライドアジャスタを用いれば、その殆どの部分が帽子、ズボンまたはスカート等の内側に隠れるものの、一部の部材は服飾品の外観に現れることになる。
而して、デザインの自由度を高める為にスライドアジャスタ等のサイズ調整機構が帽子、サンバイザー等の服飾品の外観に現れることのないサイズ調整機構が求められている。
即ち、本発明は外観デザインが極めて重要視される服飾品に用いることのできるサイズ調整機構を提供する。
【課題を解決するための手段】
【０００７】
本発明は一端が帽体後部に固定されて水平に設けられた帽子のサイズ調整用のベルトと、該ベルトの他端と結合し該帽体の側部に固定されたスライドアジャスタとからなる帽子のサイズ調整機構において、
該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、
前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、
前記バンドが前記ベルトの他端に結合され、前記バックルがびん皮と帽体の間に固定されたことを特徴とするものである。
【０００８】
前記ベルトは帽体の共生地で作成されたものであることが好ましい。
前記押圧部に相当する帽体生地にマークが記されてなることが好ましい。
前記押圧部に相当する帽体生地に開口を有することが好ましい。
【０００９】
前記びん皮と帽体の間にバンドの前端部が進入可能な鞘が設けられてなることが好ましい。
前記びん皮および／または帽体において、前記バンドの前端部の進入位置に摩擦低減シートが設けられてなることが好ましい。
【００１０】
また、本発明は鍔と鍔に固定されて水平に設けられたベルトとからなるサンバイザーにおいて、ベルトの一部に前記スライドアジャスタを介在させることによって、前記帽子のサイズ調整機構と同じ作用機能を有するサンバイザーのサイズ調整機構を実現することができる。
【００１１】
即ち、鍔に固定されて水平に設けられたサンバイザーのベルトと、このベルトの一部に介在させたスライドアジャスタとからなるサンバイザーのサイズ調整機構において、
該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、
前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、
前記バンドが前記ベルトの一端に結合され、前記バックルがびん皮とベルトの間に固定されたことを特徴とするものである。
【発明の効果】
【００１２】
外観にスライドアジャスタ等のサイズ調整機構が一切現れないので、帽子等の服飾品をデザインする上で自由度が飛躍的に高まる。
前記帽子のベルトを帽体の共生地で作成することにより、外観に帽体と同じ生地以外、一切現れず、帽子等の服飾品に高級感を付加することができる。
スライドアジャスタを軽量でシンプルな構成としたので、サイズ調整を迅速、容易に行うことができる。
【図面の簡単な説明】
【００１３】
【図１】本発明のサイズ調整機構を備えた帽子を右後部上方から見た斜視図である。
【図２】スライドアジャスタ８の平面図（図２（１））と、同図のｚ−ｚ切断線における縦断側面図（図２（２）、（３））である。
【図３】本発明のサイズ調整機構を備えた帽子の右側面図である。
【符号の説明】
【００１４】
２      帽体
３      ベルト
４      びん皮
８      スライドアジャスタ
１０    バンド
１２    係合溝
２０    バックル
２４    バックル本体
３０    操作板
３１    係合爪
３２    押圧部
４０    開口
４１    マーク
【発明を実施するための形態】
【００１５】
以下、本発明に係る帽子のサイズ調整機構の実施形態を、図面に基づいて説明する。
図１は、サイズ調整機構を備えた帽子を右後部上方から見た斜視図であり、帽体２、サイズ調整用のベルト３、びん皮（すべり、サイズベルトとも云う。）４が示されている。
ベルト３は、帽体２の後部に形成された半円形の切り込み５の下端位置に、略水平に設けられ、一端（図１において左端）６が帽体２に固定されている。ベルト３の他端（図１において右端）７は、帽体２の側部に固定されたスライドアジャスタ８に結合されている。
【００１６】
スライドアジャスタ８については図２を用いて後述するように、バンド１０とバックル２０とからなり、バックル２０はびん皮４と帽体２の間に固定される。より具体的には、バックル２０は、びん皮４または帽体２の生地のいずれかに固定される。
【００１７】
次に、図２を用いてスライドアジャスタを説明する。
図２にはバンド１０とバックル２０からなるスライドアジャスタが示されており、図２（１）はその平面図、図２（２）は図２（１）のｚ−ｚ切断線における縦断側面図である。
【００１８】
これらの図において、所要の長さ、幅、厚みを有するバンド１０の外表面には、先端（バックル２０に近い部分）から末端にかけて鋸歯状の係合溝１２が形成され、バンド１０の末端には、バンド１０をベルト３の他端７に固定するための多数の取付穴１６が穿設されている。
【００１９】
バックル２０は、底板２１、これに対向する天井枠２２、および底板２１と天井枠２２とを接続する側板２３、２３とからなる偏平かつ筒状のバックル本体２４により主体が構成されている。バックル本体２４はバンド１０のスライド方向が挿通口として開口され、その内部はバンド１０の挿通空間２６となる。本実施形態では、底板２１の長手方向（バンド１０のスライド方向）の長さを天井枠２２の長手方向の長さよりも長くすることにより、底板２１に形成した取付穴２７によりびん皮４または帽体２の生地への取付を容易にすると共に、バンド１０の挿通がスムーズに行われるようにしている。
【００２０】
天井枠２２の内側には、その内に納まる大きさの操作板３０が水平に設置される。操作板３０の一端部下面には、バンド１０の係合溝１２に係合可能な係合爪３１を突設し、他端部の上面は係合解除用の押圧部３２となる。
【００２１】
操作板３０の長手方向の中間地点には、連結軸３５が形成され、この連結軸３５は両側板２３、２３の上部内壁に連結されている。連結軸３５の断面形状は、円形、楕円形、その他種々の形状とすることができる。連結軸３５は操作板３０を揺動自在に軸支すると共に、反復的な揺動により破損しない形状であれば差し支えない。なお、連結軸３５は両側板２３、２３に限らず、操作板３０と対向する天井枠２２の二辺に支承されていても、後述する作用と同じ作用を発揮することができる。
【００２２】
本発明の操作板３０において、押圧部３２と連結軸３５間の横幅は、操作板３０の揺動と強度を満たす限りにおいてなるべく狭く設定されると共に、バックル本体２４においては、対向する天井枠２２、２２から、規制部材としての張出部２８、２８が内側に向かって水平方向に伸出している。この規制部材は、押圧部３２に垂直方向の力が不用意に作用するのを規制するための部材である。
【００２３】
図２に示す実施形態では、操作板３０の一端部（係合爪３１の設けられた側）を、対向する両側板２３、２３の内壁に連結している。当該連結は、操作板３０の隅角部から延びる屈曲した連結部材３６、３６によりなされており、押圧部３２を押し下げた後、押圧部３２から指を離した時点で操作板３０が元の水平状態に復元し易くしたものである。従って、連結部材３６の形状としてはこの他にも、波板等、種々のものを適用することができる。換言すれば、連結部材３６は操作板３０の揺動動作に対するダンパーとしての機能を有するものである。
なお、操作板３０と側板２３との連結は、連結軸３５を挟んで押圧部３２の反対側であれば良く、前記一端部以外である操作板３０の側縁部でも良いし、側板２３に代えて天井枠２２に連結しても良い。
【００２４】
操作板３０の一端部（係合爪３１の設けられた側）に設けた突起３３は、係合解除時に操作板３０の押圧部３２が必要以上に押し下げられるのを防止するためのストッパである。
また、符号３４も押圧部３２の押し下げ時に張出部２８の側面に当接して（図２（３）参照）、押圧部３２が必要以上に押し下げられ、操作板３０がバンド１０の上面に当たるのを防止するためのストッパである。これらのストッパ３３、３４はいずれか一方を備えれば十分である。
【００２５】
バンド１０とバックル２０は、可撓性を有する合成樹脂により成型することができる。バンド１０を合成樹脂製とすることにより、バンド１０がびん皮４と帽体２の間をスムーズに挿通するようになる。即ち、合成樹脂はびん皮４や帽体２の生地（布、織物）よりも剛性が高いので、バンド１０の挿通が容易となる。
【００２６】
また、バックル２０は操作板３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。
【００２７】
続いて、図１に示すサイズ調整機構の作用を説明する。
帽子サイズを調整するには、帽子を被らない状態において一方の手の指先で、ベルト３自体または帽体２（またはびん皮４）においてベルト３の他端７またはバンド１０に相当する位置を持ち、他方の手の指先で内側にスライドアジャスタ８が設けられている帽体２（またはびん皮４）を持ち、両手を近づければ良い。
【００２８】
この操作によって、帽子のサイズを小さく調整することができるが、両手を引離しても、スライドアジャスタ８の作用によって、帽子のサイズが大きくなることはない。帽子のサイズを大きくする、即ちベルト３を伸ばすには、スライドアジャスタ８の押圧部３２が隠れている部分に相当する帽体２またはびん皮４を指先等で押圧すれば良い。
【００２９】
図３は、本発明のサイズ調整機構を備えた帽子の右側面図である。
図３（１）の実施形態では、スライドアジャスタ８は帽体２の内側に隠れており、外観に現れることはない。
図３（２）の実施形態では、スライドアジャスタ８の押圧部３２が隠れている部分に相当する帽体２の生地にマーク４０が記されている。
図３（３）の実施形態では、スライドアジャスタ８の押圧部３２に相当する帽体２の生地に開口４１が設けられており、開口４１から押圧部３２が外観に現れた状態が示されている。
【００３０】
次に、上記スライドアジャスタの作用を説明する。図２（２）は、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００３１】
バンド１０を押圧部３２側（図２（２）において左側）からバックル本体２４の挿通空間２６内に進入させていくと、バンド１０の上面が操作板３０の係合爪３１に接触して、操作板３０の一端部（係合爪３１が形成された側）を押し上げながら前進し、バックル２０に対するバンド１０の接近・離隔位置が調節される。この状態では、図２（２）に示すように、係合爪３１が所定の係合溝１２と噛み合って係止しているので、バンド１０はバックル２０に対して進出自在であるが、後退不能である。
【００３２】
他方、バックル２０からバンド１０を後退させたり、引き抜いたりするには、操作板２０の押圧部３２を軽く指で押し下げれば、図２（３）に示すように、連結軸３５を中心として操作板３０が回転する結果、反対側に位置する係合爪３１が持ち上がり、係合爪３１が係合溝１２から外れるので、バンド１０を自由にスライドさせることができる。押圧部３２から指を離せば、押圧部３２は合成樹脂の弾性により元の水平状態に復帰する。
【００３３】
本発明において、スライドアジャスタ８は上記の構造を有するものに限らず、バンドに係合溝を設け、この溝にバックルのフックを弾性的に係合し、バンドに対して略垂直方向に作動するプッシュボタンにより随時、この係止状態を解放可能とするようなバックルとバンドとからなるスライドアジャスタであれば、いずれの構造のものでも良い。
【００３４】
また、図２の実施形態においてバックル本体２４は、底板２１、天井枠２２、および側板２３、２３とから構成されているが、天井枠２２は４辺全てが必要なわけではなく、連結軸３５に平行な辺は２辺共なくても良いし、いずれか１辺でも良い。
また、天井枠２２自体は必ずしも必要でない。天井枠２２を省略したバックル本体２４であれば、底板２１、側板２３、２３、および連結軸３５によってバンド１０のための挿通空間２６が形成されることになる。また、連結部材３６、３６によっても挿通空間２６は形成され得る。
【００３５】
本発明では前記したサイズ調整動作をスムーズに行う為に、びん皮４と帽体２の間にバンド１０の前端部が進入可能な鞘（図示せず。）を設けても良い。また、びん皮４および／または帽体２において、バンド１０の前端部の進入位置に摩擦低減シート（図示せず。）を設けても良い。バンド１０の前端部は、鞘に導かれて、また、摩擦低減シートに沿って進入する結果、バンド１０、およびベルト３の挿通がスムーズになる。
【００３６】
前記図１に示す実施形態では、ベルト３を使用したキャップタイプの帽子について説明したが、本発明に係る帽子のサイズ調整機構は、ベルト３を使用しないハンチングなどにも適用することが可能である。この場合には、スライドアジャスタ８が取り付けられる帽体２の裾部の生地やびん皮４にはタックまたは皺を入れることになる。
【産業上の利用可能性】
【００３７】
以上、帽子のサイズ調整機構に係る実施形態について説明したが、サンバイザー、ズボンまたはスカートにおいても、ベルトの一部に前記スライドアジャスタを介在させることによって、同じ作用機能を有する服飾品のサイズ調整機構を構成することができる。また、帽子については、キャップ、ハンチングなど、幅広く適用することができる。
【図１】
2011117089.tif 000003
【図２】
2011117089.tif 000004
【図３】
2011117089.tif 000005